【事件の表示】
　特願２０１４−５４６００１「光ディスク媒体および光ディスク装置」拒絶査定不服審判事件〔平成２６年１２月　４日国際公開、ＷＯ２０１４／１９２２９２、請求項の数（３）〕について、次のとおり審決する。
【結　論】
　原査定を取り消す。
　本願の発明は、特許すべきものとする。
【理　由】
第１　手続の経緯
　本願は、平成２６年５月２７日（優先権主張　平成２５年５月３１日　日本国）を国際出願日とする出願であって、平成２７年２月９日付け拒絶理由通知に対して、同年４月６日付けで意見書が提出され、同年４月２８日付け拒絶理由通知に対して、同年７月９日付けで手続補正がなされたが、平成２８年１月２２日付けで拒絶査定がなされた。これに対し、同年５月２日に拒絶査定不服の審判請求がなされると同時に手続補正がなされた。
第２　原査定の概要
　請求項１，３−５に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
＜引用文献等一覧＞
引用例１：特開２００５−２４３１３５号公報
引用例２：特開２００１−１４３２７３号公報
引用例３：特開２０００−１６３８０９号公報
引用例４：特開２０００−２９８８４２号公報
引用例５：特開２００４−２６５５４６号公報
引用例６：特開２００５−０３８５６６号公報
引用例７：古宮成，Blu-ray Disc技術，次世代光ディスク解体新書，
　　　　　日経ＢＰ社，２００３年１０月７日，p.58-72
第３　平成２８年５月２日付けの手続補正の適否
１．補正後の本願発明
　平成２８年５月２日付けの手続補正（以下「本件補正」という。）は、
本件補正前に、
「【請求項１】
　ランドおよびグルーブに情報の記録が可能な光ディスク媒体であって、
　前記光ディスク媒体の円周方向において、ランドまたはグルーブのアドレス情報を記録したアドレス情報単位が所定数設けられ、
　前記ランドのアドレス情報単位は、アドレス情報を記録することが可能な領域であるアドレス記録領域を３個以上有し、前記３個以上のアドレス記録領域の中から選択された１つの領域にアドレス情報が記録され、
　前記ランドのアドレス情報を記録するために前記３個以上のアドレス記録領域の中から選択される１つの領域が、半径方向に隣接する３つのアドレス情報単位間において異なり、
　前記ランドと前記グルーブとにはウォブルが形成され、
　前記ウォブルは、基本ウォブルと、所定の論理値を示す情報ウォブルとを含み、
　前記アドレス情報は、前記情報ウォブルの前記論理値を用いて記録され、
　前記情報ウォブルは、前記基本ウォブルの波形に対して略―９０度異なる位相を持つ波形形状及び略＋９０度異なる位相を持つ波形形状によって前記論理値が表現され、
　前記ランドの情報ウォブルは、前記ランドに隣接する内周側のグルーブに設けられたウォブルと、外周側のグルーブに設けられたウォブルとで同一の波形形状であり、
　前記ランドのトラック幅の変動を所定の範囲内に抑制する
光ディスク媒体。
【請求項２】
　前記ランドのトラック幅が変動する所定の範囲とは、前記基本ウォブルの波形に対して１８０度異なる位相を持つ波形形状のトラック幅に対して略７０％である請求項１記載の光ディスク媒体。
【請求項３】
　前記円周方向に設けられた前記アドレス情報単位の数と、前記アドレス記録領域の数とが互いに素である、請求項１または請求項２に記載の光ディスク媒体。
【請求項４】
　請求項１ないし請求項３のいずれかに記載の光ディスク媒体から情報の再生を行う光ディスク装置であって、
　前記ランドまたはグルーブに形成されたウォブルに応じた信号を生成する信号生成手段と、
　前記信号生成手段の生成した信号から前記基本ウォブルに対して９０度の位相差を有する信号を生成する位相差波形生成手段と、
　前記信号生成手段の生成した信号と、前記位相差波形生成手段の生成した信号を用いて位相検波を行う位相検波手段と、
　前記位相検波手段の生成した信号の絶対値に基づいて、前記複数のアドレス記録領域のうち、前記アドレス情報が記録されている１つの領域を決定する領域決定手段と、
　前記領域決定手段が決定した前記領域に対して前記位相検波手段の検波結果に基づいて、アドレスの検出を行うアドレス検出手段と、
を備えた光ディスク装置。
【請求項５】
　請求項１ないし請求項３のいずれかに記載の光ディスク媒体から情報の再生を行う方法であって、
　前記ランドまたはグルーブに形成されたウォブルに応じたウォブル信号を生成するステップと、
　前記ウォブル信号から前記基本ウォブルに対して略９０度の位相差を有する信号を生成するステップと、
　前記ウォブル信号と、前記略９０度の位相差を有する信号とを用いて位相検波を行うステップと、
　前記位相検波の絶対値に基づいて、前記複数のアドレス記録領域のうち、前記アドレス情報が記録されている１つの領域を決定するステップと、
　前記決定した前記領域に対して前記位相検波の結果に基づいてアドレスの検出を行うステップと、
を備えた光ディスク再生方法。」
とあったところを、
「【請求項１】
　ランドおよびグルーブに情報の記録が可能な光ディスク媒体であって、
　前記光ディスク媒体の円周方向において、ランドまたはグルーブのアドレス情報を記録したアドレス情報単位が所定数設けられ、
　前記ランドのアドレス情報単位は、アドレス情報を記録することが可能な領域であるアドレス記録領域を３個以上有し、前記３個以上のアドレス記録領域の中から選択された１つの領域にアドレス情報が記録され、
　前記ランドのアドレス情報を記録するために前記３個以上のアドレス記録領域の中から選択される１つの領域が、半径方向に隣接する３つのアドレス情報単位間において異なり、
　前記ランドと前記グルーブとにはウォブルが形成され、
　前記ウォブルは、基本ウォブルと、所定の論理値を示す情報ウォブルとを含み、
　前記アドレス情報は、前記情報ウォブルの前記論理値を用いて記録され、
　前記情報ウォブルは、前記基本ウォブルの波形に対して略―９０度異なる位相を持つ波形形状及び略＋９０度異なる位相を持つ波形形状によって前記論理値が表現され、
　前記ランドの情報ウォブルは、前記ランドに隣接する内周側のグルーブに設けられたウォブルと、外周側のグルーブに設けられたウォブルとで同一の波形形状であり、
　
全ての領域でウォブルが読み出せるように
光ディスク媒体。
【請求項２】
　前記ランドのトラック幅が変動する所定の範囲とは、前記基本ウォブルの波形に対して１８０度異なる位相を持つ波形形状のトラック幅に対して略７０％である請求項１記載の光ディスク媒体。
【請求項３】
　前記円周方向に設けられた前記アドレス情報単位の数と、前記アドレス記録領域の数とが互いに素である、請求項１または請求項２に記載の光ディスク媒体。」
としたものである。なお、補正された事項には下線部を付与した。
２．補正の目的要件について
　補正された請求項１ないし３は、「ランドのトラック幅の変動を所定の範囲に抑制する」事項について、「全ての領域でウォブルが読み出せるように」との限定を付加したものである。また、補正前の請求項４および５は、削除された。よって、本件補正は、発明特定事項を限定するものであるから、特許法第１７条の２第５項第２号の特許請求の範囲の減縮を目的とするものに該当し、また、特許法第１７条の２第５項第１号の請求項の削除を目的とするものに該当する。
　そして、本件補正は、特許法第１７条の２第３項、第４項に違反するところはない。
　そこで、本件補正の請求項１ないし３に係る発明（以下、本件補正の請求項１に係る発明を「本願補正発明」という。）が特許出願の際独立して特許を受けることができるものであるか（特許法第１７条の２第６項において準用する同法第１２６条第７項の規定する要件を満たすか）否かについて以下検討する。 
３．引用例
（１）原査定の拒絶の理由に引用された引用例１には、図面とともに以下の事項が記載されている。なお、下線は当審で付与した。
ア．「【０００６】
　但し、このようなランド・グルーブ記録方式において、上記した図１４（ａ）のようにグルーブ部分の両壁をウォブルさせてしまうと、ビームスポットがグルーブ側にあるときはよいとして、ランド側にあるときに隣接する他のトラックのグルーブ側のウォブル情報が混在してしまうことになる。
  そこで、特にこのような
ランド・グルーブ記録方式を採用する光ディスクメディアでは、
  このような
片側ウォブル方式では、互いに隣接するグルーブ・ランドの組において、これらの間となるグルーブの側壁のみをウォブルさせ、このウォブルによるアドレス情報をこれらグルーブとランドとで共用するようにされる。つまり、これによって片側のみをウォブルさせることができる。
  そして、この際、
片側のみがウォブルされているということは、グルーブ側の他方の壁面はストレートとされることから、一方のトラックのランドと隣接する他のトラックのグルーブとの間の壁は常にストレートとすることができる。
イ．「【００２０】
　以下、発明を実施するための最良の形態のうちの１つの形態（以下、実施の形態とする）について説明していく。
  先ず、実施の形態としてのディスク状記録媒体である、ディスク５０について説明していく。
  本実施の形態のディスク５０は、磁界変調記録方式により信号の記録再生が行われるＭＤ（Mini Disc：光磁気ディスク）とされる。
  このようなＭＤとしてのディスク５０は、記録トラックの側壁がディスク半径方向に蛇行（ウォブル）され、
このウォブルによりＡＤＩＰ（ADdress In Pregroove）と呼ばれるディスク上の絶対位置アドレスの情報が記録されている
 【００２１】
  そして、この場合の
ディスク５０としては、記録トラックの片側の側壁のみがウォブリングされた、所謂片側ウォブルのディスクとされる。
グルーブにおける片側の側壁のみがウォブルされて、このウォブルにより記録されたアドレス情報をグルーブとランドとで共用するようにされたものである。
ウ．「【００２４】さらに、ディスク５０においては、上記のような
ＡＤＩＰの情報がＦＭ（Frequency Modulation）変調された信号に基づいてウォブルにより記録されることになるが、このようにＦＭ変調信号に基づくウォブルを形成するにあたっては、上記ＡＤＩＰの情報をバイフェーズ変調するようにされている
  
このバイフェーズ変調としては、図２に示されるように、データビット（Data Bit）の１ビットの値を、さらに２値のバイフェーズビット（Bi-phase Bit）により示すようにしたものである。
  
この場合のバイフェーズ変調では、基本的にデータビットの「０」の値は、２つの同値のバイフェーズビットに変調するようにされる。また、データビットの「１」の値は、２つの異なるバイフェーズビットに変調される。
  そして、データビット「０」の値としては、直前のバイフェーズビット値が「０」か「１」かによって、「１」「１」か「０」「０」のバイフェーズビット値に変調されることになる。すなわち、図示するように直前のバイフェーズビット値が「０」であった場合は、データビット「０」の値は「１」「１」のバイフェーズビット値に変調される。そして、次のデータビット値も「０」であった場合は、直前のバイフェーズビット値「１」に応じて、「０」「０」のバイフェーズビット値に変調される。」
エ．「【００２８】そして、本実施の形態のディスク５０に対しては、上記のように
ＦＭ変調処理が施された信号（つまりＡＤＩＰ信号）に基づいたウォブルが形成されていると共に、このＦＭ変調信号のキャリア周波数（中間周波数）で一定とされた、無変調信号に基づくウォブルが形成される領域を挿するものとしている。
  すなわち、本例のディスク５０では、トラックの周回方向の全域にわたってＦＭ変調信号が記録されるのではなく、このようなＦＭ変調信号に基づくウォブル信号が記録される変調領域と、上記キャリア周波数で一定とされた無変調信号に基づくウォブル信号が記録される無変調領域とを、交互に形成するようにしたものである。
  その上で、実施の形態のディスク５０では、互いに隣接するトラック間では、上記変調領域どうしが隣り合わないようにするために、ディスク５０の半径方向において変調領域と無変調領域とをスタガー（stagger）状に、つまりジグザグに配列するものとしている。
 【００２９】このような本実施の形態のディスク５０の一例としては、例えば次の図４に示すようになる。
  図４は、実施の形態のディスク５０に形成される、グルーブとランドによる記録トラックと、グルーブの側壁に形成されたウォブルの様子を模式的に示した図である。
  
この図に示されるように、実施の形態のディスク５０では、図示するトラックの周回方向において、ＦＭ変調信号に基づいてＡＤＩＰ信号が記録される変調領域（図中斜線部）と、一定の周波数信号が記録された無変調領域とが、交互に且つ連続的に形成されている。
  そして、上記もしたように、
図示するディスク半径方向においては、グルーブとランドとの組による各記録トラックにおいて、隣接するトラック間ではそれぞれに形成される変調領域どうしが隣り合わないようにされている。
　上記アないしエから、引用例１の光ディスクメディアには以下の事項が記載されている。
・上記アおよびイによれば、互いに隣接するグルーブ・ランドの組において、これらの間となるグルーブの側壁のみをウォブルさせ、このウォブルにより記録されたアドレス情報をグルーブとランドとで共用するランド・グルーブ記録方式を採用する光ディスクメディアに関するものである。
・上記イおよびウによれば、ディスク上の絶対位置アドレスの情報であるＡＤＩＰ情報がＦＭ変調処理されたＡＤＩＰ信号を、データビットの「０」の値、「１」の値として示すウォブルを形成するものである。
・上記エによれば、ディスクには、ＡＤＩＰ信号に基づいたウォブルが形成された領域と、中間周波数で一定とされた無変調信号に基づくウォブルが形成された領域とが、トラック周回方向に交互に且つ連続的に形成されるものである。
　以上の事項により、引用例１には次の発明（以下、「引用発明」という。）が記載されている。
「ランド・グルーブ記録方式を採用する光ディスクメディアであって、
　トラックの周回方向に、ＡＤＩＰ信号に基づいたウォブルが形成された領域と、無変調信号に基づくウォブルが形成された領域とが、交互に連続的に形成され、
　ＡＤＩＰ信号は、データビットの「０」、「１」を示すウォブルとし、
　互いに隣接するグルーブ・ランドの組において、これらの間となるグルーブの側壁のみにウォブルを形成するものである
光ディスクメディア。」
（２）原査定の拒絶の理由に引用された引用例２には、図面とともに以下の事項が記載されている。なお、下線は当審で付与した。
オ．「【００２０】
　
図４は本発明に係るグルーブトラックの両側壁に記録されるウォッブルを用いたPIDアドレッシング構造を示した図面
 【００２１】
　
グルーブトラックには、ウォッブルキャリアの形成されている区間と位相変調されたアドレス情報の形成されている区間とを繰返して配置し、即ち時間軸に対して多重化(時分割多重化)してアドレスデータを配置している。
 【００２２】
　また、単一ビームを用いる場合には、
グルーブの両側壁に全て該当グルーブのアドレスを記録するようになっていて、ランドの場合には隣接グルーブのアドレスとZCLVを適用する場合、該当地域のトラック当りセクター数を用いて間接的にアドレッシングしうる。
　上記オによれば、グルーブトラックに、ウォッブルキャリアの形成されている区間と位相変調されたアドレス情報の形成されている区間とを繰返して配置し、ランドの場合には、隣接グールブのアドレスを利用して間接的にアドレッシングすることが記載されている。そして、図４には、ランドトラックが、隣接するグルーブトラックのアドレスデータウォッブルとウォッブルキャリアに挟まれていることが図示されている。
　しかしながら、引用例２には、「ランドに隣接する内周側のグルーブに設けられたウォブルと外周側のグルーブに設けられたウォブルの波形形状が同一である」旨の技術事項は記載されていない。
（３）原査定の拒絶の理由に引用された引用例３には、図面とともに以下の事項が記載されている。なお、下線は当審で付与した。
カ．「【００３３】そこで、この問題を解決するために、アドレスの最小単位である１セクタ（情報領域）をその長さ方向に３以上に等分割して、そのうち
隣接する内周側トラックと相互に重ならない１つの領域にそのセクタのアドレス情報を記録し、残りの領域はウォブル信号を無変調で記録しまたはウォブルなしとしている。図８はその一例を示すもので（ウォブルのうねりは図示せず。）、各セクタをその長さ方向に領域ａ，ｂ，ｃにそれぞれ３等分し、そのうち隣接する内周側のトラックと相互に重ならないハッチングで示した領域に該セクタのアドレス情報（ＡＤＩＰデータ）を、該アドレス情報でウォブルを１８０°２相位相変調して記録し、残りの白ぬきで示した２つの領域に無変調のウォブル信号を記録し（ＡＤＩＰデータをオール“０”またはオール“１”とする。）
　上記カによれば、各セクタを領域ａ，ｂ，ｃに３等分し、隣接する内周側のトラックと相互に重ならない領域（ハッチング）にアドレス情報をウォブルで１８０°２相位相変調して記録し、残りを無変調のウォブル信号とする。そして、図８には、アドレス情報を記録した領域（ハッチング）と、白抜きした２つの無変調のウォブル信号が記録された領域が図示されている。
　しかしながら、引用例３には、「ランドの内周側のウォブルと外周側のウォブルの波形形状が同一である」旨の技術事項は記載されていない。
（４）原査定の拒絶の理由に引用された引用例４には、図面とともに以下の事項が記載されている。なお、下線は当審で付与した。
キ．「【００５１】この発明の別の記録可能型光ディスクの実施の形態を説明する。この記録可能型光ディスクは、Ｔp をトラックピッチ、λをウォブルの波長として、２πＴp／λがほぼ０．５の偶数倍となるようにトラックが形成され、
１ＥＣＣブロックで１アドレス区間を構成し、かつ１アドレス区間に記録する１アドレス情報を複数のアドレス情報構成要素に分割して、該各アドレス情報構成要素を該当する１アドレス区間内で、隣接するトラックの情報記録領域を構成するシンクフレームとディスク径方向に相互に重ならない位置のシンクフレームにそれぞれ割り当て、該割り当てられたシンクフレームのウォブルを該割り当てられたアドレス情報構成要素で１８０°２相位相変調して記録し、他のシンクフレームのウォブルを無変調で記録している。
。図１２の例では、１シンクフレーム全長を情報記録領域としている。ウォブル記録情報のフォーマットは、図５（ｄ）の１シンクフレーム全体を情報記録領域とするほかは図５と同じである。図１２の例では、情報記録領域を２つ置きのシンクフレームに設定することを基本として、隣接するトラックと該情報記録領域がディスク径方向に相互に重なる位置では該情報記録領域を相対的に１シンクフレーム分位置をずらして該重なりが生じないようにしている。
　上記キによれば、シンクフレームのウォブルを１８０°２相位相変調してアドレス情報を記録した情報記録領域と、無変調のシンクフレームを有し、情報記録領域をディスク径方向に相互に重ならないようにしている。そして、図１２では、トラックｍ，ｍ＋１，ｍ＋２，ｍ＋３で、相互に重ならない情報記録領域が図示されている。
　しかしながら、引用例４には、「隣合うそれぞれのウォブルの波形形状が同一である」旨の技術事項は記載されていない。
（５）原査定の拒絶の理由に引用された引用例５には、図面とともに以下の事項が記載されている。なお、下線は当審で付与した。
ク．「【００３８】
 【発明の実施の形態】
 （実施例１）
　
図１８は本実施例の概要を示したものである。アドレス情報は角度情報部分とトラック情報に分けて表す。
アドレス情報自体はグルーブ部にのみ溝ウォブル信号（溝部の半径方向への微小な変位）として配置される。
 【００３９】
　ランド部は図２に示したように両隣のグルーブにはさまれた領域であるので、両隣のグルーブのウォブルが同一である場合には、ランド部も全く同様にウォブルされることなり、ランド部でも同一の情報が配置されることになる。しかしながら、両隣のグルーブ部分の情報が異なる部分では、ランド部分は純粋な「ウォブル」ではなく溝部の幅が変調されることになるため、ウォブル信号を再生することができない。本発明では、インターリーブされて配置された情報のうち角度情報３１０は、全トラックに亘って同じものとしている。インターリーブされたトラック情報部分３２０に関しては、領域を前後にさらに分割し、マーク３３０、第１のトラック情報領域３３１、第２のトラック情報領域３３２の３つに分割される。第１のトラック情報領域と第２のトラック情報領域に記録されるトラック情報は異なる。図ではグルーブトラックＴｒ２−Ｇでは第１と第２のトラック情報として「Ｔｒ１」「Ｔｒ２」という情報が配置される。「Ｔｒ１」「Ｔｒ２」が第１と第２のどちらに記録されるかは各々のインターリーブされたトラック情報領域（セグメント）毎に異なり、交互に配置されるようになっている。隣接グルーブトラックＴｒ３−Ｇでは第１と第２のトラック情報として「Ｔｒ２」「Ｔｒ３」という情報が配置される。この場合は「Ｔｒ２」の情報が先ほどのトラックでの「Ｔｒ２」の情報に隣接するように配置される。すなわち、「Ｔｒ２」という情報はランドトラックＴｒ２−Ｌに隣接する２つのグルーブトラックでまったく同一であるため、ウォブル信号も同じになり、このランドトラックにおいても、ウォブル信号から「Ｔｒ２」という情報を再生することが可能となる。しかしながら、
このランドトラックＴｒ２−Ｌにおいては、隣接グルーブ部に「Ｔｒ１」あるいは「Ｔｒ３」という情報が記録されている領域では隣接するトラックの情報は異なっており、この領域ではランド部でのウォブル信号が普通には得られない。
　上記クによれば、グルーブ部のＴｒ１あるいはＴｒ３という情報が記録されている領域は、トラックのアドレス情報が異なり、グルーブ部のＴｒ１とＴｒ３のウォブルの波形形状は異なるものである。
　しかしながら、引用例５には、「隣合うそれぞれのウォブルの波形形状が同一である」旨の技術事項は記載されていない。
（６）原査定の拒絶の理由に引用された引用例６には、図面とともに以下の事項が記載されている。なお、下線は当審で付与した。
ケ．「【００４５】
　
図８には、本実施形態におけるＧトラックアドレス系とＬトラックアドレス系が模式的に示されている。グルーブＮ、ランドＮ、グルーブＮ＋１、ランドＮ＋１が示され、それぞれのトラックにＧトラックアドレス系及びＬトラックアドレス系が形成されている。
【００４６】
　
ランドＮに着目すると、Ｇトラックアドレス系は逆相ウォブルを含むため不定であるが（図中Ａで示す）、
　上記ケによれば、トラックのグルーブＮとトラックのグルーブＮ＋１に挟まれるトラックのランドＮは、グルーブＮとグルーブＮ＋１の逆相ウォブルを含むものである。そして、図８には、トラックのランドＮが、トラックのグルーブＮとトラックのグルーブＮ＋１に挟まれていることが図示されている。
　しかしながら、引用例６には、「隣合うそれぞれのウォブルの波形形状が同一である」旨の技術事項は記載されていない。
（７）原査定の拒絶の理由に引用された引用例７には、図面とともに以下の事項が記載されている。なお、下線は当審で付与した。
コ．「
ＢＤ−ＲＥディスクには、記録トラックとして蚊取り線香の渦巻きのように極めて細い溝が刻まれている。
　
アドレス情報はＣＤ−Ｒディスクなどと同じように、このグルーブをわずかにウオブル（蛇行、揺動）させることによって埋め込んでいる。
（第６４頁右欄下から４行〜第６５頁左欄１１行）
サ．「
この単一周波数をベースとしたウオブルにタイミング情報やアドレス情報を付加する
　上記コないしサによれば、ＢＤ−ＲＥ（Ｂｌｕ-ｒａｙ Ｄｉｓｃ）のアドレス情報は、単一周波数をベースとしたグルーブのウオブルに埋め込まれている。また、第６５頁の図８には、波形形状が異なる複数のウォブルが図示されている。
　しかしながら、引用例７には、ランドの情報ウォブルが、ランドに隣接する内周側のグルーブに設けられたウォブルと外周側に設けられたウォブルとで同一形状であることは記載も示唆もされていない。
４．対比
　そこで、本願補正発明と引用発明とを対比する。
ａ．引用発明の「光ディスクメディア」は、本願補正発明の「光ディスク媒体」に相当する。また、引用発明の「ランド・グルーブ記録方式」は、本願補正発明の「ランドおよびグルーブに情報の記録が可能」であることに相当する。
　よって、引用発明の「ランド・グルーブ記録方式を採用する光ディスクメディア」は、本願補正発明の「ランドおよびグルーブに情報の記録が可能な光ディスク媒体」に相当する。
                                            
ｂ．引用発明の「トラックの周回方向」は、本願補正発明の「光ディスク媒体の円周方向」に相当する。
　また、引用発明の「ＡＤＩＰ信号に基づいたウォブルが形成された領域と、無変調信号に基づくウォブルが形成された領域とが、交互に連続的に形成」は、ＡＤＩＰ信号に基づいたウォブルがアドレス情報であり、複数箇所に設けられているといえるから、本願補正発明の「ランドまたはグルーブのアドレス情報を記録したアドレス情報単位」に相当する。
　よって、引用発明の「トラックの周回方向に、ＡＤＩＰ信号に基づいたウォブルが形成された領域と、無変調信号に基づくウォブルが形成された領域とが、交互に連続的に形成され」は、本願補正発明の「前記光ディスク媒体の円周方向において、ランドまたはグルーブのアドレス情報を記録したアドレス情報単位が所定数設けられ」に相当する。
　ただし、本願補正発明は「ランドのアドレス情報単位は、アドレス情報を記録することが可能な領域であるアドレス記録領域を３個以上有し、３個以上のアドレス記録領域の中から選択された１つの領域にアドレス情報が記録され、ランドのアドレス情報を記録するために３個以上のアドレス記録領域の中から選択される１つの領域が、半径方向に隣接する３つのアドレス情報単位間において異なり」と特定されているのに対して、引用発明はその旨の特定がされていない。
ｃ．引用発明の「互いに隣接するグルーブ・ランドの組において、これらの間となるグルーブの側壁のみにウォブルを形成」は、ウォブルがグルーブとランドに共用のウォブルが形成されてことであるから、本願補正発明の「ランドとグルーブとにはウォブルが形成され」に相当する。
　ただし、本願補正発明は「ランドの情報ウォブルは、ランドに隣接する内周側のグルーブに設けられたウォブルと、外周側のグルーブに設けられたウォブルとで同一の波形形状であり」と特定されているのに対して、引用発明はその旨の特定がされていない。
ｄ．引用発明の「無変調信号に基づくウォブル」は、中間周波数で一定とされたウォブルであるから、本願補正発明の「基本ウォブル」に相当する。
　また、引用発明の「ＡＤＩＰ信号は、データビットの「０」、「１」を示すウォブル」は、本願補正発明の「所定の論理値を示す情報ウォブル」であり、「アドレス情報は、情報ウォブルの論理値を用いて記録され」たことに相当する。
　よって、引用発明の「無変調信号に基づくウォブル」および「ＡＤＩＰ信号は、データビットの「０」、「１」を示すウォブル」は、本願補正発明の「前記ウォブルは、基本ウォブルと、所定の論理値を示す情報ウォブルとを含み」および「アドレス情報は、情報ウォブルの論理値を用いて記録され」に相当する。
ｅ．本願補正発明は「情報ウォブルは、基本ウォブルの波形に対して略―９０度異なる位相を持つ波形形状及び略＋９０度異なる位相を持つ波形形状によって論理値が表現され」と特定されているのに対して、引用発明はその旨の特定がされていない。
　また、本願発明は「全ての領域でウォブルが読み出せるように前記ランドのトラック幅の変動を所定の範囲内に抑制する」と特定されているのに対して、引用発明はその旨の特定がされていない。
　そうすると、本願補正発明と引用発明とは、以下の点で一致ないし相違する。
＜一致点＞
　「ランドおよびグルーブに情報の記録が可能な光ディスク媒体であって、
　前記光ディスク媒体の円周方向において、ランドまたはグルーブのアドレス情報を記録したアドレス情報単位が所定数設けられ、
　前記ランドと前記グルーブとにはウォブルが形成され、
　前記ウォブルは、基本ウォブルと、所定の論理値を示す情報ウォブルとを含み、
　前記アドレス情報は、前記情報ウォブルの前記論理値を用いて記録される
光ディスク媒体」
＜相違点１＞
　本願補正発明は「ランドのアドレス情報単位は、アドレス情報を記録することが可能な領域であるアドレス記録領域を３個以上有し、３個以上のアドレス記録領域の中から選択された１つの領域にアドレス情報が記録され、ランドのアドレス情報を記録するために３個以上のアドレス記録領域の中から選択される１つの領域が、半径方向に隣接する３つのアドレス情報単位間において異なり」と特定されているのに対して、引用発明はその旨の特定がされていない。
＜相違点２＞
　本願補正発明は「情報ウォブルは、基本ウォブルの波形に対して略―９０度異なる位相を持つ波形形状及び略＋９０度異なる位相を持つ波形形状によって論理値が表現され」と特定されているのに対して、引用発明はその旨の特定がされていない。
＜相違点３＞
　本願補正発明は「ランドの情報ウォブルは、ランドに隣接する内周側のグルーブに設けられたウォブルと、外周側のグルーブに設けられたウォブルとで同一の波形形状であり」と特定されているのに対して、引用発明はその旨の特定がされていない。
＜相違点４＞
　本願発明は「全ての領域でウォブルが読み出せるように前記ランドのトラック幅の変動を所定の範囲内に抑制する」と特定されているのに対して、引用発明はその旨の特定がされていない。
５．判断
　上記相違点３について判断する。
　拒絶の理由で引用された引用例２ないし引用例７（上記「３．（２）ないし（７）」を参照。）には、ランドの情報ウォブルを、ランドに隣接する内周側のグルーブに設けられたウォブルと、外周側のグルーブに設けられたウォブルとで同一の波形形状とする記載や示唆はない。
　また、引用発明と、上記引用例２ないし引用例７に記載された事項を組み合わせたとしても、上記相違点３に係る発明特定事項が、当業者にとって容易に導き出せるものであるとはいえない。
　よって、他の相違点を検討するまでもなく、本願補正発明は、引用発明および引用例２ないし７に記載された技術事項に基づいて、当業者が容易に発明することができたものではない。
　そして、本願請求項２ないし３に係る発明は、本願補正発明をさらに限定したものであるから、本願補正発明と同様に、引用発明および引用例２ないし７に記載された技術事項に基づいて、当業者が容易に発明することができたものではない。
６．むすび
　本件補正は、特許法第１７条の２第３項ないし第６項の規定に適合する。
第３　本願発明
　本件補正は上記のとおり、特許法第１７条の２第３項ないし第６項の規定に適合するから、本願の請求項１ないし３に係る発明は、本件補正により補正された特許請求の範囲の請求項１ないし３に記載された事項により特定されるとおりのものである。
　そして、本願の請求項１に係る発明（本願補正発明）は、上記「第２」のとおり、引用例１および引用例７に記載された発明に基づいて当業者が容易に発明をすることができたものではない。
　また、本願の請求項１に係る発明を直接又は間接的に引用する請求項２ないし３に係る発明は、請求項１に係る発明を更に限定した発明であるから、同様に、引用例１ないし引用例７に記載された発明に基づいて当業者が容易に発明をすることができたものではない。
　したがって、本願については、原査定の拒絶の理由を検討してもその理由によって拒絶すべきものとすることはできない。
　また、他に本願を拒絶すべき理由を発見しない。
　よって、結論のとおり審決する。